(57)【要約】【課題】本発明は安価なコストで室内空間の安全性・快適性を迅速、確実にすべく室内へ取り込む外気の各種処理が行え並びに室内空気を循環させて繰り返し清浄化等の処理が行える室内へ取り込む外気の処理並びに室内空気の循環処理装置を提供することを目的とするものである。【解決手段】本発明による室内外空気の処理装置は、無機質系材料からなる吸音材で構成された吸音空間と集塵ユニットにより形成された集塵部と脱臭器ユニットにより形成された脱臭部と外気を強制的に室内へ取り込む強制ファンとを備えた室内へ取り込む外気の外気処理部と、室内空気を送り出す送出口と送出した室内空気を導入する導入路とを有する室内空気の循環処理部が形成されたことを特徴とするものである。【選択図】        図１
2004239518.tif 000002
【特許請求の範囲】
【請求項１】
外気を室内へ取り込む外気取込用貫通孔の外側に設けられてなり、
無機質系材料からなる吸音材で構成された吸音空間と、集塵ユニットにより形成された集塵部と、脱臭器ユニットにより形成された脱臭部と、外気を強制的に室内へ取り込む強制ファンと、を備えた室内へ取り込む外気の外気処理部と、
前記外気処理部に隣接して設けられ、室内空気を送り出す送出口と、送出した室内空気を前記外気処理部取込口近傍位置へ導入する導入路と、を有し、
前記導入路内には、少なくとも無機質系材料からなる吸音材で構成された吸音空間が設けられて室内空気の循環処理部が形成された、ことを特徴とする室内外空気の処理装置。
【請求項２】
外気を室内へ取り込む外気取込用貫通孔の外側に設けられてなり、
無機質系材料からなる吸音材で構成された吸音空間と、集塵ユニットにより形成された集塵部と、脱臭器ユニットにより形成された脱臭部と、外気を強制的に室内へ取り込む強制ファンと、を備えた室内へ取り込む外気の外気処理部と、
前記外気処理部に隣接して設けられ、室内空気を送り出す送出口と、送出した室内空気を前記外気の処理部取込口近傍位置へ導入する導入路と、を有し、
前記導入路内には、無機質系材料からなる吸音材で構成された吸音空間、集塵ユニットにより形成された集塵部、脱臭器ユニットにより形成された脱臭部のうち、いずれか２つ以上組み合わされて室内空気の循環処理部が形成された、ことを特徴とする室内外空気の処理装置。
【請求項３】
外気を室内へ取り込む外気取込用貫通孔の外側に設けられてなり、
外気取込口と、無機質系材料からなる吸音材で構成された吸音空間と、集塵ユニットにより形成された集塵部と、脱臭器ユニットにより形成された脱臭部と、外気を強制的に室内へ取り込む複数の強制ファンと、を備えた室内へ取り込む外気の外気処理部と、
前記外気処理部に隣接して設けられ、
室内空気を送り出す送出口と、送出した室内空気を前記外気処理部取込口近傍位置へ導入する導入路と、前記導入路内に設けられた無機質系材料からなる吸音材で構成された吸音空間と、を備えた室内空気の循環処理部と、を有し、
前記外気取込口の近傍に外気取り込み量を制御する第１制御弁が設けられてなると共に、前記送出口の近傍に室内空気送出量を制御する第２制御弁が設けられたことを特徴とする室内外空気の処理装置。
【請求項４】
前記無機質材料からなる吸音材には光触媒物質として使用される二酸化チタンが含有されていることを特徴とする請求項１、請求項２または請求項３記載の室内外空気の処理装置。
【請求項５】
前記無機質材料からなる吸音材の表面が防汚フィルムで被覆されていることを特徴とする請求項１、請求項２、請求項３または請求項４記載の室内外空気の処理装置。
【発明の詳細な説明】
【０００１】
【発明の属する技術分野】
本発明は、室内へ取り込む外気の処理並びに室内空気の循環処理を連動して行う室内外空気の処理装置に関するものである。
【０００２】
【従来の技術】
従来、外気を室内に取り入れる際、この外気を清浄化したりする等の各種処理する装置はすでに提案されていたが、コストの問題もあり特定の分野だけに限られていた。
【０００３】
すなわち、前記特定の分野としてはいわゆる医療分野があげられ、例えば手術室・新生児室・集中治療室等患者の抵抗力が弱く、空気の質が問われる区域においてのみ高価で専門的な装置が設置されていたにすぎなかった。
【０００４】
また、工業分野においても、集積回路等を製造するクリーンルームとなる区域があり、その区域にも高価で専門的な装置は設置されている。
【０００５】
そのほか例えば空気の質の衛生的精度が要求される製薬工場や人間の体内に直結する食品工場あるいは大学等の研究所にも高価で専門的な装置は設置されていた。
【０００６】
しかしながら、一般大衆の通常の生活空間である集合住宅内、宿泊施設、事務ビル等の執務空間、学校施設あるいは医療福祉施設等では、外気を室内に取り入れる際、ある程度の大きさからなる粒度に対しては効果のある粗塵フィルターを設ける程度の装置しか設置されていないのが現状である。
【０００７】
また近年、都市部では輸送又は移動の利便性追及のため、詳細な道路網の整備形成が著しく、ある区域によっては当初想定していた交通量以上となって、その近隣地域に有害物質が充満するものとなり、道路の騒音についても近隣地域に弊害をもたらしていた。
【０００８】
さらに、屋外騒音に対する住宅性能表示制度では、窓開口における防音性能の表示については規定されているものの、換気設備のための外壁開口部について防音性能を規定するものがなく、特に集合住宅において室内へ取り込む外気の処理並びに室内空気の循環処理装置についての防音設備設置は皆無に等しいものであった。
【０００９】
ところで、人間が生活・活動する空間は、近年以下のような原因と汚染物質で汚染されているといえる。
【００１０】
すなわち、交通量増大に伴う排気ガス・ＮＯｘ・ＳＯｘ・粒子状物質・道路粉塵による大気の汚染、あるいは植物から飛散する花粉、特に問題とされるのはスギ花粉、さらに、建材から発散されるＶＯＣ（ホルムアルデヒド等）、また交通騒音、ハウスダストによる室内発塵、生活臭、ペット臭等である。
【００１１】
さらに、社会活動の進化に対し、室内空間安全性・快適性に関する公的規制が現況にそぐわない状況にあり、すでに建設された建物では室内環境を満足させる性能を確実に保有しているとは言い難い。
【００１２】
また、現在施工中又は設計中の物件でもこれら室内空間安全性・快適性を確実に保有しているとは到底言えないものである。
【００１３】
特に交通量の多い道路付近に立地した建物では非常に苛酷な状況にあると言える。
【００１４】
しかして、近年において室外にある各種汚染物質の侵入防止と、かりに室内に侵入してしまった汚染物質又は内部で発生している汚染物質の清浄作業を連動させるシステムあるいは装置が要請されてはいるものの製品として具体的に提案されるには至っていないものである。
【００１５】
なぜなら、室内へ取り込む外気の処理並びに室内空気の循環処理装置はその対策商品に使用する部材が多岐の分野にわたるものとなり、それを集約して製品化するのは難しくその結果いまだ一般商品化又は総合対策商品化されてはいないからである。
【００１６】
そして、従来からある各々の対策部材及び対策システムは、専門的な医療又は工業的要求に応えるもので性能は格段によいが、一般的な価格ではなかったのである。
【００１７】
また、対策商品は室内空気の給排気と連動させる必要があるが、既存システムはこれらと協調連動する性能を有してはいないのである。
【００１８】
さらに、対策商品の設置スペースと設置位置にも問題がある。すなわち、従来からある既存商品は室内に設置する例のみであるが、外気の取り込み部分で外部汚染物質を排除する必要があり、外気の取り込み部分に設ける必要がある。しかし、外気の取り込み部分の外側に設置すれば外観に影響を及ぼしかつその耐久性も問題となるからである。
【発明が解決しようとする課題】
かくして本発明は前記従来の課題に対処すべく創案されたものであり、安価なコストで室内空間の安全性・快適性を迅速、確実にすべく室内へ取り込む外気の各種処理が行え並びに室内空気を循環させて繰り返し清浄化等の処理が行える室内へ取り込む外気の処理並びに室内空気の循環処理装置を提供することを目的とするものである。
【００１９】
【課題を解決するための手段】
本発明による室内外空気の処理装置は、
外気を室内へ取り込む外気取込用貫通孔の外側に設けられてなり、
無機質系材料からなる吸音材で構成された吸音空間と、集塵ユニットにより形成された
集塵部と、脱臭器ユニットにより形成された脱臭部と、外気を強制的に室内へ取り込む強制ファンと、を備えた室内へ取り込む外気の外気処理部と、
前記外気処理部に隣接して設けられ、室内空気を送り出す送出口と、送出した室内空気を前記外気処理部取込口近傍位置へ導入する導入路と、を有し、
前記導入路内には、少なくとも無機質系材料からなる吸音材で構成された吸音空間が設けられて室内空気の循環処理部が形成された、ことを特徴とし、
または、
外気を室内へ取り込む外気取込用貫通孔の外側に設けられてなり、
無機質系材料からなる吸音材で構成された吸音空間と、集塵ユニットにより形成された集塵部と、脱臭器ユニットにより形成された脱臭部と、外気を強制的に室内へ取り込む強制ファンと、を備えた室内へ取り込む外気の外気処理部と、前記外気処理部に隣接して設けられ、室内空気を送り出す送出口と、送出した室内空気
を前記外気の処理部取込口近傍位置へ導入する導入路と、を有し、
前記導入路内には、無機質系材料からなる吸音材で構成された吸音空間、集塵ユニットにより形成された集塵部、脱臭器ユニットにより形成された脱臭部のうち、いずれか２つ以上組み合わされて室内空気の循環処理部が形成された、ことを特徴とし、
または、
外気を室内へ取り込む外気取込用貫通孔の外側に設けられてなり、
外気取込口と、無機質系材料からなる吸音材で構成された吸音空間と、集塵ユニットにより形成された集塵部と、脱臭器ユニットにより形成された脱臭部と、外気を強制的に室内へ取り込む複数の強制ファンと、を備えた室内へ取り込む外気の外気処理部と、
前記外気処理部に隣接して設けられ、
室内空気を送り出す送出口と、送出した室内空気を前記外気処理部取込口近傍位置へ導入する導入路と、前記導入路内に設けられた無機質系材料からなる吸音材で構成された吸音空間と、を備えた室内空気の循環処理部と、を有し、
前記外気取込口の近傍に外気取り込み量を制御する第１制御弁が設けられてなると共に、前記送出口の近傍に室内空気送出量を制御する第２制御弁が設けられたことを特徴とし、
または、
前記無機質材料からなる吸音材には光触媒物質として使用される二酸化チタンが含有されていることを特徴とし、
または、
前記無機質材料からなる吸音材の表面が防汚フィルムで被覆されていることを特徴とするものである。
【００２０】
【発明の実施の形態】
以下、本発明を図に示す実施例に基づいて説明する。
本発明による室内外空気の処理装置１は、新築の住宅であれば同時にあるいは既設の住宅であれば後から設置することも出来る。
【００２１】
その設置状態の一例を挙げれば、図３に示すように集合住宅のバルコニー天井部分に設置することが出来る。
【００２２】
また、図６に示すように、バルコニーの出窓下側空間に設置することも出来る。
【００２３】
ここで、本発明による室内外空気の処理装置１は、壁材を貫通して形成された外気取込用貫通孔１９を境にしてその外側に設けられた室内へ取り込む外気の外気処理部２と、室内空気の循環処理部３とを有して構成されている。
【００２４】
ここで、室内へ取り込む外気の外気処理部２は、図１に示されており、その内部に、無機質系材料からなる吸音材４で構成された吸音空間５と、集塵ユニット６により形成された集塵部１３と、脱臭器ユニット１４により形成された脱臭部７と、外気８を強制的に取り込む強制ファン９とを有して構成されている。
【００２５】
強制ファン９によって強制的に室内へ導入される外気８はまず外気取込口１０から外気処理部２内に進入する。
【００２６】
この外気取込口１０の近傍位置には吸音空間５が形成されており、その側面には無機質系材料からなる板状の吸音材４が取り付けられている。
【００２７】
ここで無機質系材料、例えばコンクリート製吸音部材で形成された板状の吸音材４の構成につき説明する。
このコンクリート製吸音部材形成にはセメントと骨材と水が必要とされる。
【００２８】
骨材としては、軽量骨材のパーライト、炭素中空球、プラスチックバルーン、ガラスバルーン、シリカバルーン、シラスバルーン等の、有機、無機を問わず天然、人工の骨材が例としてあげられる。
【００２９】
そしてこれら使用される骨材は、含水率及び吸水率が１０％以下のものとなっている。また特にこれらの骨材は、水を透過させない表面層を持っていること、吹き付け施工で形成するならば、吹付施工に必要な強度を有していること等の条件を満足する軽量骨材が好ましい。
【００３０】
さらに、骨材の配合量は１００〜５００の重量部とされる。
【００３１】
これは、セメントや水との投入量のバランスをとるためであり、投入量が１００重量部未満であると所望の吸音効果が得られず５００重量部を超えると、吹き付け施工で形成する場合には吹付作業性が悪化して例えば吹き付けにより得られる塗膜が脆くなる等の虞があるからである。
【００３２】
そして、上記の様な特性を有する軽量骨材としては、いわゆる高強度無機発泡粒が例として挙げられる。当該無機発泡粒は表面を磁器質のスキン層で覆った、軽量にして高強度の軽量骨材であり、極めて高い吸音性能を有しているからである。
【００３３】
水は水和反応によりセメントを凝結・硬化させるためにも必須の材料である。
【００３４】
以上により、ミキサーにセメント、水及び前記骨材を投入し混合を行う。ここで、投入されるセメントについては、特に種類を限定するものではなく、従来公知の普通ポルトランドセメント、早強ポルトランドセメント、中庸熱ポルトランドセメント、耐硫酸塩ポルトランドセメント、白色ポルトランドセメント、混合ポルトランドセメント等が使用できる。
【００３５】
なお、セメントの配合量は５０から３００重量部を必須とするものである。これは前述の骨材や水との投入量のバランスを採るためであり、５０重量部未満であると吸音材に充分な強度を付与できず３００重量部を超えて配合すると吸音効果が低下する虞があるからである。
【００３６】
この際（すなわちセメント投入の際）に、各種添加剤（混和剤、減水剤、繊維製補強剤等）も必要に応じて配合することが出来る。これらの配合量は適宜決められる。
【００３７】
なお前述のように、水は水和反応によりセメントを凝結・硬化させるために必須であり、その最終的な配合量（吹付けられた直後における配合量）は５０〜１３０重量部となる。
【００３８】
これは、５０重量部未満であると、セメントの硬化が不十分となるおそれがあり、１３０重量部を超えて配合すると、硬化に時間がかかるばかりでなく吹付作業後の塗膜に流動性が生じて、均一に硬化しない虞が生じるからである。
【００３９】
しかして、これにより従来方式では困難であった理想的ポーラス状態の仕上用吸音材を、容易に構成することが可能となる。
【００４０】
すなわち、例えば吹き付け施工するならば、吹付時において、各材料が一様に分散されてバランス良く混合され、理想的な混合状態の半流動体材料を得ることが可能となり、これにより、一様にポーラス状態である理想的な吸音材を構成することが可能となる。
【００４１】
そして、成形されたコンクリート製の板状吸音材４は極めてポーラスな状態であるために、広い周波数帯域に対して充分な吸音特性を有し、従来方法のように一定の周波数帯域の音（ノイズ）に対して吸音率が落ち込んでしまう可能性への懸念も払拭される。
【００４２】
また、事前に必要に応じてマスキング作業により養生を行う場合もある。施工条件にもよるが、吹付施工完了後は、約２０〜３０時間で凝結・硬化する。急結剤を併用した場合には数分〜十数分で急結する。
【００４３】
急結剤を併用して得られる吸音層は、多孔質構造が良好に維持されるため、併用しない場合に比較して良好な吸音効果を得られる。
【００４４】
次に、粉体材料または液体として添加される各種添加剤（チタン、混和剤、減水剤、増粘剤、起泡剤、急結剤、等）について説明する。
【００４５】
ここではさらに、ＮＯｘ（窒素酸化物）を吸収する作用を付加するために、例えばアナターゼ型結晶構造を有する二酸化チタンのチタンを投入使用しても構わない。
【００４６】
ここで、二酸化チタンは、その結晶構造により、アナターゼ型とルチル型がある。ルチル型は比較的結晶構造が安定しており、一般的には白色の着色顔料として使用されている。一方アナターゼ型は、加熱されるとルチル型に移行してしまう不安定な結晶構造であるが、光触媒作用を有することが近年の研究で明らかにされていた。
【００４７】
すなわち、アナターゼ型二酸化チタンは、受光することによって表面に活性酸素を生じ、これが空気中のＮＯｘ（窒素酸化物）と化合吸収して、大気浄化作用を現わすものと考えられる。
【００４８】
アナターゼ型二酸化チタンは２〜１００重量部含むことを必要とする。２重量部未満であるとＮＯｘ（窒素酸化物）吸収作用が十分ではなく、１００重量部を超えて配合しても、配合量に比例した大気浄化作用が得られずコスト的にはむしろ不利となる。
【００４９】
尚、前述した骨材には二酸化チタンをコーティングして使用することが好ましいものである。軽量骨材に二酸化チタンコーティングをコーティングしたとき、きわめて高いＮＯｘ除去効果を有することが確認された。
【００５０】
さらに、混和剤の一部として有機混和剤を用いることも可能である。有機混和剤としては、オールアクリル樹脂、アクリル−スチレン共重合体樹脂、スチレン−ブタジエン共重合体樹脂などの樹脂エマルジョンが例示できる。特に好ましくは、末端にカルボキシル基等の極性基を持つアクリル系樹脂エマルジョンが推奨される。その他必要に応じて配合する混和剤としては、凝結を制御するのに好適な石膏類、吸音材を補強するための各種のフィラー、例えばポリエステル、ポリエチレン、ビニロン、レーヨン、ナイロン等の化学繊維・ガラス繊維、ロックウール等の無機繊維、各種の硅砂、硫酸バリウム、炭酸カルシウム、クレー等の顔料類、マイカ等のリン片状充填材が例示できる。
また、吹き付け施工型の吸音部材であれば、該吹付型吸音材の施工性および硬化後の性能確保・向上のための減水剤、増粘剤等の各種の添加剤も必要に応じて配合することができる。これらの配合量は適宜決められる。
【００５１】
更に、吹き付け作業を容易にし、また吸音性能を向上させる目的で、起泡剤を添加することがある。起泡剤は一般に陰イオン界面活性剤、動物性蛋白質等から適宜選択して使用できる。Ｎ−アシルアミノ酸およびその塩、アルキルエーテルカルボン酸、アシル化ペプチド等のカルボン酸塩、アルキルベンゼンスルホン酸塩、アルキルナフタレンスルホン酸塩等のスルホン酸塩、硫酸エステル塩、リン酸エステル塩、にかわ等が例示できる。  起泡剤の添加方法は（１）起泡剤を適当な濃度に稀釈して吹付型吸音材の練り混ぜ時に直接添加する方法、（２）起泡剤を発泡装置に通して気泡を生成し、この気泡を練り混ぜ後の吹付型吸音材に混合する方法が例示できる。
【００５２】
いずれの方法によっても、吹付施工前の吸音材における気泡の容積率が２０〜８０％となるように調整する。気泡が２０％未満であると吸音効果の向上が得られず、８０％を超えると吸音材の強度が低下して耐久性が落ちるおそれがあるからである。
【００５３】
また、吹付施工後にセメントの硬化に伴なって気泡が消滅することがあるが、消滅後に吹き付けた吸音材中には空隙が残る。この吸音材中の空隙率が１０〜５０％となることが好ましい。１０％未満であると吸音効果の向上が得られず、５０％を超えると吸音材の強度が低下して耐久性が落ちるおそれがあるからであるからである。
【００５４】
吹付型吸音材を施工する際に、いわゆる急結を必要とする場合がある。こうした場合、急結剤を吹付工法に併用することが可能である。急結剤としては塩化カルシウム、水酸化アルミニウム、炭酸ナトリウム、水酸化ナトリウム等のアルミン酸カルシウム類、仮焼明ばん石、水ガラス等の無機質物を例示することができる。また、トリエタノールアミン、グリセリン等の一部の有機物にも急結剤として使用できるものがある。急結剤は吸音材を吹付ノズルから噴射した直後の状態に、同様のノズルから略同一方向に噴射を行い、ノズルから吸音材施工面に到達する迄の時間に空中混合させることが好ましい。
【００５５】
次に前記の板状吸音材４の表面に貼着剥離可能な防汚フィルム１１を貼りつけてあってもかまわない。
【００５６】
該防汚フィルム１１の材質としては、一般に市販されている防汚フィルム１１の材質が使用される。すなわち、アクリル系樹脂、ポリエステル、ポリプロピレン、高耐候性ＰＥＴフィルム等があげられる。
【００５７】
なお、この防汚フィルム１１に光触媒酸化チタンをコーティングしたフィルムを使用すしても構わない。すなわち、高耐候性ＰＥＴフィルムの表面に光触媒酸化チタンをコーティングして用いる。そして、裏面は粘着剤コーティング層とセパレータで構成する。
【００５８】
さらに、貼り付け作業時における光触媒面の傷つきを防止するため、表面にはあらかじめ保護フィルムを貼り付けておくことが好ましい。従ってこの場合、防汚フィルム１１は３層構造となる。
【００５９】
このような防汚フィルム１１であれば、さらに、汚れを光触媒により分解し、防汚フィルム１１自体の交換時期を延長させることが出来る。
【００６０】
また、防汚フィルム１１を貼った板状の吸音材４は外気処理部２内側に脱着可能に取り付けてある。
【００６１】
よって、防汚フィルム１１が汚れてしまったら、板状吸音材４を簡単に取り外して交換することが出来る。
【００６２】
ここで、取り外し作業は処理装置１の取り外し用パネル１２を取り外し、その後防汚フィルム１１でコーティングされた板状の吸音材４を取り外す。
【００６３】
そして、取り外された板状の吸音材４から前記防汚フィルム１１を剥離し、新しい防汚フィルム１１と交換する。
【００６４】
新しい防汚フィルム１１を貼着した板状の吸音材４を外気処理部２内側に取り付けた後、再び処理装置１の取り外し用パネル１２を所定の箇所に取り付け、作業は完了する。
【００６５】
吸音空間５を通過した外気８は集塵ユニット６が設けられた集塵部１３に進入する。
【００６６】
集塵ユニット６は、一般に市販されている集塵機を使用できる。ここで、各種塵埃を除去するための方法は多岐にわたっており、大別してフィルター方式、電気集塵方式とに別けられる。
【００６７】
フィルター方式とは不織布フィルター、例えばナイロン、テトロン等の漉布で、５〜２０ミリメートル厚のフィルタ  ーで塵埃保持量を大きくした形（綿状）の物が多い。  一般に空気抵抗は小さく、洗浄により再度使用が出来るが、数ミクロン以下の小粒子はほとんど捕集出来ない。
次に、高性能フィルター、すなわち極細のガラス繊維または合成樹脂を主体としたフィルターをジグザグに折り、表面積を大きくしたものがある。
【００６８】
空気  抵抗が大きく再生は不可であり、コストが嵩む。ＨＥＰＡフィルターは最も高率なフィルターであるが、グラスアスベストの漉材は脆く高価であり、一般的にはプレフィルターの後で使用する。
【００６９】
次に電気集塵方式であるが、いわゆる浮遊塵埃を静電気の力で吸着捕集する方式で１０μｍ以下０、０１μｍサブミクロン粒子も捕集することが出来る。
【００７０】
ここで、一般の室内空気浄化の目的で利用されている電気集塵器は塵埃を帯電させるイオン化部（イオンチャージャー）と、帯電した塵埃を吸着捕集する集塵部（コレクター）との二段荷電式が多い。
【００７１】
イオン化部は、２０〜３０ｍｍ前後の間隔に配列した針状電極や、タングステンワイヤー（φ０．２ｍｍ）と平行電極から成っており、針状電極に直流１０ＫＶ程度の高電圧を印加する。
【００７２】
これにより、プラス極からマイナス極にコロナ放電が発生し、空気分子はプラス、マイナスに帯電し、多量のイオンが発生する。
【００７３】
マイナスイオンはイオン化線に吸着されて電気的に中和するが、プラスイオンは前述平行板に沿って充満し、この中を流入する塵埃は直ちに（＋）帯電する。
【００７４】
一方、集塵部は直流  ５ＫＶ程度の電圧が印加された電極（＋）と接地された電極（双方アルミニウム０．６ｍｍｔ）で構成されておりプラスサイドに帯電された塵埃はこの集塵部の電界内に流入するとクーロン力（電気力量）によってマイナス極に吸着する。
【００７５】
ただし、集塵電極間に５ＫＶが印加されているため、板間隙間を５ｍｍ以下にすると、火花放電が発生するため、集塵効率は  ８０〜９０％以下となる。
【００７６】
そしてマイナス集塵電極に付着した塵埃を定期的に洗浄、清浄化して繰り返し使用する。
【００７７】
集塵部１３を通過した外気８から、例えば車両系排気から放出された粒子状物質、道路の粉塵、花粉、ハウスダスト等が消失される。
【００７８】
さらに、前記の集塵部１３を通過した外気８は脱臭器ユニット１４により形成された脱臭部７を通過する。
【００７９】
ここで、本発明による脱臭器ユニット１４は、光触媒を利用した脱臭器ユニット１４が使用される。
【００８０】
この光触媒を利用した脱臭器ユニット１４としては、例えば、表面が二酸化チタンでコーティングされた小粒ビーズ状をなす大量複数個の光触媒体と、蛍光灯などで構成した光源と、これらを収納する容器とにより構成される。
【００８１】
このような脱臭器ユニット１４内に外気８を通過させることにより、外気８中に含まれるＮＯｘ、ＳＯｘの除去が行え、ホルムアルデヒド、トルエン、キシレン等のいわゆるＶＯＣによる不快な臭い、刺激感、生活臭、ペット臭を解消することが出来る。
【００８２】
しかして、前記吸音空間５，集塵部１３及び脱臭部７を通過した外気８は強制ファン９により外気取込用貫通孔１９を経て室内へ取り込まれる。
【００８３】
このように、外気８の導入に際し、外部騒音を吸音排除した上で、外気８に含まれる車両系排気から放出された粒子状物質、道路の粉塵、花粉、ハウスダスト等を消失することが出来、さらには外気８中に含まれるＮＯｘ、ＳＯｘの除去が行え、ホルムアルデヒド、トルエン、キシレン等のいわゆるＶＯＣによる不快な臭い、刺激感、生活臭、ペット臭を解消することが出来る。
【００８４】
次に、本発明による室内空気の循環処理につき説明する。
【００８５】
室内での空気は室内外空気処理装置１における室内空気循環処理部３に送出される。
【００８６】
ここで、室内空気循環処理部３は図２から理解されるように、室内空気１５を送り出す送出口１６と送出した室内空気１５を前記外気の処理部２の取込口１０近傍位置へ導入する導入路１７と該導入路１７に連通した処理空間部１８を有しており、前記処理空間部１８内には、無機質系材料からなる吸音材４で構成された吸音空間５が少なくとも設けられている。
【００８７】
そして、この吸音空間５で使用される無機質系材料からなる吸音材４は外気の処理部２内の吸音空間５で使用される無機質系材料からなる吸音材４とほぼ同様の構成からなるものが使用されている。
【００８８】
なお、この室内空気循環処理部３、またその中でも処理空間部１８の構成については、前記した外気処理部２の構成と同様に吸音空間５のみならず、脱臭部７や集塵部１３を併せて形成しても構わない。
【００８９】
しかして、この室内空気循環処理部３内に強制ファン９を設け、室内空気１５を強制的に外気処理部２の取込口１０近傍位置へ送出するものとしてもよい。
【００９０】
しかし、この室内空気循環処理部３内における強制ファン９が設置されていなくとも室内空気１５は外気処理部２に設けられている強制ファン９によって強制的に外気取込口１０から外気処理部２内へ導入されうる構成となっている。
【００９１】
以上において、まず外気８は外気取込口１６から外気処理部２へ導入され、吸音空間５で外部の騒音が吸音される。ついで外気８は集塵部１３を通過し、該集塵部１３により外気８に含まれる車両系排気から放出された粒子状物質、道路の粉塵、花粉、ハウスダスト等が消失される。
【００９２】
さらに、外気８は脱臭部７を通過し、この脱臭部７により交通量の激しい地域にあって特に外気８中に含まれるＮＯｘ、ＳＯｘの除去が行われる。また、その他、ホルムアルデヒド、トルエン、キシレン等のいわゆるＶＯＣによる不快な臭い、刺激感、生活臭、ペット臭が解消される。
【００９３】
そして、室内空気１５のいわゆる清浄化処理については、室内空気の循環処理部３における送出口１６から室内空気１５を取り込み、導入路１７を通過させた後、処理空間部１８へ送る。
【００９４】
この処理空間部１８では吸音空間５が少なくとも形成されており、空気の流道に伴う騒音がカットされる。
【００９５】
前記吸音空間５から室内空気８は外気処理部２の取込口１６近傍位置に送出され、再び外気処理部２における吸音空間５、集塵部１３及び脱臭部７を通過して室内へ導入される。
【００９６】
このように室内空気１５は何度となく室内空気循環処理部３及び外気処理部２を循環し、清浄化され、脱臭されることとなる。
このように本実施例による室内外空気の処理装置であれば、比較的安価なコストで室外にある各種汚染物質の侵入防止と、すでに室内に侵入してしまった汚染物質や内部で発生している汚染物質の清浄作業を連動させる処理装置として稼働させることが出来るのである。
【００９７】
次に、図７に本発明の他の実施例を示す。
【００９８】
図７では外気８を取り込む外気取込口１０を室内外空気処理装置１の下方に垂下して形成した導入管路２０の先端部に形成してある。
【００９９】
そして、図７から理解されるように、前記導入管路２０内には外気８を室内に導入する強制ファン９−１が設けられていると共に、該強制ファン９−１の設置場所よりさらに外側に位置する箇所に該導入管路２０を開閉制御するための第１制御弁２１が設けられている。
【０１００】
また、室内空気１５を循環処理するために設けられた導入路１７内においても、この導入路１７を開閉制御するための第２制御弁２２が設けられている。
【０１０１】
しかして、本実施例では、近年、集合住宅等で住宅不在時またはカビ、臭気、ＶＯＣ等の対策のために２４時間換気システムが多く導入されていることに対応するものである。
【０１０２】
従来の２４時間換気システムを図９を参照して説明する。
【０１０３】
従来の２４時間換気システムは図９に示すように、例えばキッチンやユニットバス等に設置された排気ファン２３によって微量ながらも２４時間換気を行うものである。
【０１０４】
しかし、この２４時間換気システムでは室内を負圧状態にしてしまうこととなり、未対策又は対策不十分な給気口２４からは外気８が進入してしまう。そして、そのことはすなわち有害となる物質等も同時に室内へ進入させてしまうことを意味する。
【０１０５】
しかるに本実施例による２４時間排気システムでは、この従来の課題が解消でき、たとえ２４時間換気システムを稼働させたとしても、室内を負圧状態にすることがなく、もって未対策又は対策不十分な給気口２４から外気８が進入してしまうおそれを排除したものである。
【０１０６】
すなわち、図７から理解されるように、排気ファン２３が２４時間連続で稼働されたとしても、本装置１をそれに併せて２４時間稼働させれば、決して室内が負圧状態になることはなく、もって、未対策又は対策不十分な給気口２４から有害な外気８が進入することがない。
【０１０７】
その詳細を述べると、まず、同図に示すように、排気ファン２３が２４時間稼働状態とされているとき、本装置も２４時間稼働状態とする。
【０１０８】
すなわち、複数台設置されている強制ファン９−１，９−２，９−３を１台だけの稼働としたりし、さらには前記した第１制御弁２１及び第２制御弁２２を中間開状態などの開閉制御をして、室内の風圧を負圧状態とはしないものとする。
【０１０９】
よって、たとえ未対策又は対策不十分な給気口２４があったとしてもその吸気口２４から有害な外気８が進入することがない。
【０１１０】
ここで、室内が負圧状態となったか否かの判断は、例えば本実施例による室内外空気処理装置１内部に設けた圧力センサー（図示していない）等で行えばよい。
【０１１１】
すなわち、前記圧力センサーが室内が負圧状態となっているとの状態を例えば風量の違いで検知したとき、強制ファン９−１，９−２，９−３あるいは第１制御弁２１，第２制御弁２２を制御し、室内が負圧状態とならないよう制御する。
【０１１２】
具体的には図８に示す。この表に示すように、ケース１の場合は、本装置１を使用して外気処理を積極的に行っている状態であり、最大量の外気８を取り入れ、そのため圧力センサーで検知する風量も最大となっている。
【０１１３】
ケース２については強制換気ファン９−１１，９−２あるいは室内空気の循環処理部３の導入路１７内に設けた強制ファン９−３を稼働させるとともに、キッチン等の排気ファン２３を１台のみを稼働させたものである。
【０１１４】
そして、第２制御弁２３は半分閉めた状態、すなわち「中間開」の状態としてある。
【０１１５】
このケース２の場合は、キッチンでの料理時の使用等が該当する。
ケース３の場合は、２４時間換気状態としたものであり、強制ファン９−１，９−２あるいは９−３の内いずれか１台の稼働とし、かつ第２制御弁２３を半分閉めた状態、すなわち「中間開」の状態とした。
【０１１６】
これにより、室内は負圧状態とはならず、未対策又は対策不十分な給気口２４から有害な外気８が進入することがない。
【発明の効果】
かくして本発明は以上の構成よりなる。
【０１１７】
そして本発明による室内外空気処理装置であれば、安価なコストで室内空間の安全性・快適性を迅速、確実にすべく室内へ取り込む外気の各種処理が行え、さらに室内空気を循環させて繰り返し清浄化等の処理が行える等、室内へ取り込む外気の処理並びに室内空気の循環処理が連動して行えるなど優れた効果を奏する。
【図面の簡単な説明】
【図１】本発明による室内外空気処理装置における外気の処理部の概略構成を説明する説明図
（その１）である。
【図２】本発明による室内外空気処理装置における室内空気の循環処理部の概略構成を説明する
説明図（その１）である。
【図３】本発明による室内外空気処理装置の設置状態を説明する概略説明図（その１）である。
【図４】本発明による室内外空気処理装置における外気の処理部の概略構成を説明する説明図
（その２）である。
【図５】本発明による室内外空気処理装置における室内空気の循環処理部の概略構成を説明する
説明図（その２）である。
【図６】本発明による室内外空気処理装置の設置状態を説明する概略説明図（その２）である。
【図７】本発明による室内外空気処理装置の他実施例の概略構成を説明する概略構成説明図であ
る。
【図８】本発明による室内外空気処理装置の他実施例における動作状態を示す説明図である。
【図９】従来の換気システムの概略構成を説明する概略構成説明図である。
【符号の説明】
１      室内外空気の処理装置
２      外気の処理部
３      室内外空気の循環処理部
４      吸音材
５      吸音空間
６      集塵ユニット
７      脱臭部
８      外気
９      強制ファン
１０    外気取込口
１１    防汚フィルム
１２    取り外し用パネル
１３    集塵部
１４    脱臭器ユニット
１５    室内空気
１６    送出口
１７    導入路
１８    処理空間部
１９    外気取込用貫通孔
２０    導入管路
２１    第１制御弁
２２    第２制御弁
２３    排気ファン
２４    給気口
【図１】
2004239518.tif 000003
【図２】
2004239518.tif 000004
【図３】
2004239518.tif 000005
【図４】
2004239518.tif 000006
【図５】
2004239518.tif 000007
【図６】
2004239518.tif 000008
【図７】
2004239518.tif 000009
【図８】
2004239518.tif 000010
【図９】
2004239518.tif 000011